(57)【特許請求の範囲】
【請求項１】
オートストップ機構を有するテープレコーダであって、
軸部を有するメカシャーシと、
前記軸部を中心に回転可能なリール台と、
前記リール台と前記メカシャーシの間に配置され、前記軸部を中心に前記リール台と同軸状に回転可能なフリクション板と、を備え、
前記フリクション板は、前記リール台に対して、前記フリクション板の回転中心軸の垂直方向に押圧するように当接する当接部を有する
ことを特徴とするテープレコーダ。
【発明の詳細な説明】
【０００１】
【発明の属する技術分野】
本発明は、ＰＬＡＹ、ＦＦ／ＲＥＷ等の動作状態でのカセットテープ終端時に自動的に停止状態とするテープレコーダのオートストップ機構に関するものである。
【０００２】
【従来の技術】
以下、従来のテープレコーダのオートストップ機構におけるフリクション機構について簡単に説明する。図１は従来の実施の形態におけるフリクション機構を示す側面断面図である。図１において、１はメカシャーシ、２はリール台であり、リール台２はメカシャーシ１に圧入保持されたリール軸１ａを支軸として回転自在であり、ワッシャ１ｂにより抜け止めされている。３はリール爪、４はリールばねであり、リール爪３はリール台２に嵌合され、リール台２とラジアル方向には規制されてリール台２の回転に伴い一体となって回転するが、スラスト方向には摺動可能でリールばね４に反して矢印Ａ方向に摺動自在である。このリール爪３の矢印Ａ方向への摺動動作はカセットハブをリール爪３に挿入する際の衝突による誤動作防止として機能するものである。５はリールブッシュであり、リールブッシュ５はリール台２に圧入保持されており、リール爪３のリールばね４による矢印Ｂ方向へのストッパーとなっている。６はフリクション板、７はフリクションばね、８はフリクションフェルト、９はフリクションブッシュであり、フリクション板６はフリクションブッシュ９の軸部９ａを支軸として回転自在であり、フリクションばね７によりフリクションフェルト８に圧接されている。フリクションブッシュ９はフリクションフェルト８を固定するとともに、フリクション板６のフリクションばね７による矢印Ａ方向へのストッパーとなっている。
【０００３】
従来の実施の形態は以上のように構成され、リール台２が回転するとフリクション板６とフリクションフェルト８のフリクションばね７による圧接力によって摩擦力が発生し、この摩擦力によってフリクション板６はリール台２と一体となって回転するため、フリクション板６の軸部６ａ、６ｂと係合しているオートストップ機構を作動させる作動レバー（図示せず）を回動させるとともに作動レバーの位置規制によりフリクション板６の回転動作が阻止された状態ではフリクション板６とフリクションフェルト８間でスリップするように構成している。
【０００４】
【発明が解決しようとする課題】
近年、オーディオ機器の低コスト化が進んでいくなかで、テープレコーダメカニズムにおいても低コスト化が要求されており、部品点数削減化、組立工数低減化が必要不可欠なものとなっている。
しかしながら上記のような従来のフリクション機構は、非常に部品点数が多く、それに伴う組立工数が多いいため、結果的に高コスト化を余儀なくされるといった問題点や、メカシャーシに順次部品を積み重ねて組み立てることが不可能で、リール台ユニットとしての部分組立作業が必要であることによる設備費用の増大や工程品質の低下といった多くの問題点を有していた。
【０００５】
本発明は上記従来の問題点に鑑み、テープレコーダのオートストップ機構におけるフリクション機構を非常に少ない部品点数で構成することによって低コスト、高品質でテープレコーダメカニズムのオートストップ機構を実現することを目的としてなされたものである。
【０００６】
【課題を解決するための手段】
上記課題を解決するために本発明のテープレコーダは、オートストップ機構を有するテープレコーダであって、軸部を有するメカシャーシと、前記軸部を中心に回転可能なリール台と、前記リール台と前記メカシャーシの間に配置され、前記軸部を中心に前記リール台と同軸状に回転可能なフリクション板と、を備え、前記フリクション板は、前記リール台に対して、前記フリクション板の回転中心軸の垂直方向に押圧するように当接する当接部を有することを特徴とする。
【０００９】
本発明のテープレコーダは以上のように構成した機構であって、従来例に示すオートストップ機構におけるフリクション機構に比べて非常に部品点数を少なく構成することができ、それに伴う組立工数も少ない上にメカシャーシに順次部品を積み重ねて組み立てることが可能でリール台ユニットとしての部分組立作業が不必要であることによる設備費用の削減化や工程品質の向上化が実現できるため、テープレコーダメカニズムのオートストップ機構を低コスト、高品質で実現することを目的としてなされたものである。
【００１０】
【発明の実施の形態】
本発明の請求項１に記載のテープレコーダは、オートストップ機構を有するテープレコーダであって、軸部を有するメカシャーシと、前記軸部を中心に回転可能なリール台と、前記リール台と前記メカシャーシの間に配置され、前記軸部を中心に前記リール台と同軸状に回転可能なフリクション板と、を備え、前記フリクション板は、前記リール台に対して、前記フリクション板の回転中心軸の垂直方向に押圧するように当接する当接部を有することを特徴とする。
【００１３】
以下本発明の実施の形態について、図面を参照しながら詳細に説明する。
（実施の形態１）
図２は本発明の実施の形態におけるテープレコーダの回転系部品構成を示す平面図、図３〜図４は本発明の実施の形態におけるテープレコーダの回転系部品構成を示す部分側面図である。
【００１４】
図２〜図４において、１１はモータであり、モータ１１はメカシャーシ１０上に固定されており、その回転軸１１ａにモータプーリ１２が圧入保持されている。１３はフライホイールであり、その回転軸にキャプスタン１３ａを圧入保持しており、ギヤ部１３ｂを有している。１４はキャプスタンベルトであり、キャプスタンベルト１４はモータプーリ１２とフライホイール１３を連結し、モータ１１の反時計方向の回転力をフライホイール１３に伝達する。
【００１５】
１５はカムギヤであり、カムギヤ１５はメカシャーシ１０上の支軸１０ａを中心に回転自在に保持され、外周にギヤ部１５ａを有しており、ギヤ部１５ａにおいてフライホイール１３のギヤ部１３ｂと常時噛み合い、フライホイール１３の反時計方向の回転力が伝達されて時計方向に回転する。
１６はメインプーリ、１７は巻取りギヤであり、図３〜図４に示すようにメインプーリ１６は巻取りギヤ１７の軸部１７ａを支軸として回転自在で、巻取りギヤ１７とフリクションばね１８を介して連結されている。すなわち、メインプーリ１６に一端が固定されたフリクションばね１８の内径と巻取りギヤ１７の軸部１７ｂとの接触摩擦力によってメインプーリ１６と巻取りギヤ１７間の回転力伝達が行われるように構成している。また、メインプーリ１６はＶ溝部１６ａ、ギヤ部１６ｂ、巻取りギヤ１７はギヤ部１７ｃを有している。
【００１６】
１９は巻取りアーム、２０はスラストばねであり、巻取りアーム１９はメカシャーシ１０上の支軸１０ｂを中心に回動自在かつスラスト方向（矢印ＣＤ方向）に摺動可能に保持されており、スラストばね２０によって常時矢印Ｄ方向に付勢されている。図３はスラストばね２０の付勢力によって矢印Ｄ方向に摺動した状態、図４はスラストばね２０の付勢力に反して矢印Ｃ方向に摺動した状態を示している。また、巻取りアーム１９は巻取りギヤ１７の回転軸部１７ｄ、１７ｅを軸受け部１９ａ、１９ｂにおいて回転自在に保持するとともに早送りばね２１を軸部１９ｃ、フック部１９ｄ、１９ｅによって保持している。
【００１７】
２２は巻取りベルトであり、巻取りベルト２２はフライホイール１３のＶ溝部１３ｃ、メインプーリ１６のＶ溝部１６ａを連結し、フライホイール１３の反時計方向の回転力をメインプーリ１６に伝達する。２３は巻取り中継ギヤ、２４は早送り中継ギヤ、２５は巻取りリール台、２６は供給リール台である。
巻取り中継ギヤ２３はメカシャーシ１０上の支軸１０ｃ、早送り中継ギヤ２４はメカシャーシ１０上の支軸１０ｄを中心に回転自在に保持されている。巻取りリール台２５、供給リール台２６はともにメカシャーシ１０上に形成された軸部１０ｅ、１０ｆを中心に回転自在である。また、巻取りリール台２５、供給リール台２６は各々巻取りギヤ部２５ａ、２６ａ、早送りギヤ部２５ｂ、２６ｂを有している。
【００１８】
２７はリール爪であり、リール爪２７はメカシャーシ１０の軸部１０ｅ、１０ｆの内径を軸受けとして回転自在に保持されており、カセットハーフのハブと係合しテープを巻取る機能を有する。２８はバランスばねであり、バランスばね２８はメカシャーシ１０上に固定され、一端はメカシャーシ１０上に固定され、他端は巻取りアーム１９上に形成された軸部１９ｆに保持されている。
【００１９】
巻取りアーム１９は巻取りベルト２２の張力により、時計方向へ回動付勢されているが、バランスばね２８の付勢力は巻取りアーム１９の巻取りベルト２２の張力による時計方向への回動力と釣り合う荷重に設定されており、巻取りギヤのギヤ部１７ｃが巻取り中継ギヤ２３と、メインプーリ１６のギヤ部１６ｂが早送り中継ギヤ２４と平面上で噛み合い位置まで達しない状態で保持されている。従って、図２に示す停止状態では、モータ１１が回転してもその回転動力はメインプーリ１６以降は伝達されない。
【００２０】
図５〜図６は本発明の第１および第２の実施の形態におけるテープレコーダのフリクション機構の詳細図を示す。図５は本発明の第１および第２の実施の形態におけるフリクション機構を示す部分平面図、図６は本発明の第１および第２の実施の形態におけるフリクション機構を示す部分側面図である。
図５〜図６において、２９はフリクション板であり、フリクション板２９は巻取りリール台２５とメカシャーシ１０間に配置され、メカシャーシ１０上の軸部１０ｅを中心に巻取りリール台２５と同軸上で回転自在で、軸部２９ａ、２９ｂを有している。３０はリールばねであり、リールばね３０は一端はリール爪２７に当接し、他端は巻取りリール台２５に当接しており、リール爪２７がメカシャーシ１０のフック部１０ｇによって抜け止めされているため、リールばね３０の付勢力は巻取りリール台２５を介してフリクション板２９のメカシャーシ１０への当接力となる。ここで、第１の実施の形態では、巻取りリール台２５とフリクション板２９との当接部の半径をＲ、フリクション板２９とメカシャーシ１０の当接部の半径をｒとするとＲ＞ｒとなるように設定しているため、巻取りリール台２５が回転すると、リールばね３０の付勢力によって発生する巻取りリール台２５とフリクション板２９の当接部、フリクション板２９とメカシャーシ１０の当接部の摩擦力による回転トルク負荷に差が生じ、巻取りリール台２５とフリクション板２９の当接部ではスリップせずにフリクション板２９とメカシャーシ１０の当接部においてスリップするように、また、フリクション板２９の軸部２９ａ、２９ｂが回転位置規制された場合は巻取りリール台２５とフリクション板２９の当接部でスリップし、フリクション板２９とメカシャーシ１０の当接部においてスリップしないような構成としている。
【００２１】
（実施の形態２）
また、第２の実施の形態では、巻取りリール台２５とフリクション板２９との当接部の半径をＲ、フリクション板２９とメカシャーシ１０の当接部の半径をｒとするとＲ＝ｒもしくはＲ＞ｒとなるように設定しているとともに、巻取りリール台２５とフリクション板２９の当接部における摩擦係数をフリクション板２９とメカシャーシ１０の当接部における摩擦係数よりも大きくなるよう巻取りリール台２５、フリクション板２９、メカシャーシ１０の材質を設定しているため、巻取りリール台２５が回転すると、リールばね３０の付勢力によって発生する巻取りリール台２５とフリクション板２９の当接部、フリクション板２９とメカシャーシ１０の当接部の摩擦力による回転トルク負荷に差が生じ、巻取りリール台２５とフリクション板２９の当接部ではスリップせずにフリクション板２９とメカシャーシ１０の当接部においてスリップするように、また、フリクション板２９の軸部２９ａ、２９ｂが回転位置規制された場合は巻取りリール台２５とフリクション板２９の当接部でスリップし、フリクション板２９とメカシャーシ１０の当接部においてスリップしないような構成としている。
【００２２】
（実施の形態３）
図７〜図８は本発明の第３の実施の形態におけるテープレコーダのフリクション機構の詳細図を示す。図７は本発明の第３の実施の形態におけるフリクション機構を示す部分平面図、図８は本発明の第３の実施の形態におけるフリクション機構を示す部分側面図である。
【００２３】
図７〜図８において、３１はフリクション板であり、フリクション板３１は巻取りリール台２５とメカシャーシ１０間に配置され、メカシャーシ１０上の軸部１０ｅを中心に巻取りリール台２５と同軸上で回転自在で、軸部３１ａ、３１ｂを有している。また、フリクション板３１には巻取りリール台２５の内径部２５ｃと当接し、そのばね性によって巻取りリール台２５の内径部２５ｃを押圧する当接部３１ｃが形成されている。３０はリールばねであり、リールばね３０は一端はリール爪２７に当接し、他端は巻取りリール台２５に当接しており、リール爪２７がメカシャーシ１０のフック部１０ｇによって抜け止めされているため、リールばね３０の付勢力は巻取りリール台２５を介してフリクション板３１のメカシャーシ１０への当接力となる。
【００２４】
ここで第３の実施の形態では、巻取りリール台２５とフリクション板３１との当接部の半径をＲ、フリクション板３１とメカシャーシ１０の当接部の半径をｒとするとＲ＞ｒとなるように設定しているため、巻取りリール台２５が回転すると、リールばね３０の付勢力によって発生する巻取りリール台２５とフリクション板３１の当接部、フリクション板３１とメカシャーシ１０の当接部の摩擦力による回転トルク負荷に差が生じるとともに、フリクション板３１の当接部３１ｃの巻取りリール台２５の内径部２５ｃへの押圧力によって発生する摩擦力によって、巻取りリール台２５とフリクション板３１の各当接部ではスリップせずにフリクション板３１とメカシャーシ１０の当接部においてスリップするように、また、フリクション板３１の軸部３１ａ、３１ｂが回転位置規制された場合は巻取りリール台２５とフリクション板３１の各当接部でスリップし、フリクション板２９とメカシャーシ１０の当接部においてスリップしないような構成としている。
【００２５】
（実施の形態４）
図９〜図１５は本発明の実施の形態におけるテープレコーダの操作系部品構成の詳細図を示す。図９は本発明の実施の形態における操作系の停止状態を示す部分平面図、図１０は本発明の実施の形態における操作系のＰＬＡＹ状態を示す部分平面図、図１１はその部分側面図、図１２は本発明の実施の形態における操作系のＦＦ状態を示す部分平面図、図１３はその部分側面図、図１４は本発明の実施の形態における操作系のＲＥＷ状態を示す部分平面図、図１５はその部分側面図である。
【００２６】
図９〜図１５において、３２はＰＬＡＹロッド、３３はＲＥＷロッド、３４はＦＦロッドであり、ＰＬＡＹロッド３２、ＲＥＷロッド３３、ＦＦロッド３４はメカシャーシ１０上に保持され、矢印ＥＦ方向に摺動自在である。３５はヘッド基板であり、ヘッド基板３５はメカシャーシ１０上に保持され、矢印ＥＦ方向に摺動自在である。３６はヘッド基板ばねであり、ヘッド基板ばね３６はＰＬＡＹロッド３２上に固定され、一端はＰＬＡＹロッド３２のフック部３２ａに固定され、他端はヘッド基板３５のフック部３５ａに保持されて、ＰＬＡＹロッド３２の矢印ＥＦ方向への摺動動作がヘッド基板３５の摺動動作と連動するように構成している。
【００２７】
３７はヘッド基板戻しばねであり、ヘッド基板戻しばね３７はヘッド基板３５上のフック部３５ｂに固定され、両端がメカシャーシ１０上の保持部１０ｈに保持されており、ヘッド基板３５を常時矢印Ｆ方向へ付勢している。３８は操作ロッドばねであり、操作ロッドばね３８はメカシャーシ１０上に固定された別部材（図示せず）に固定され、一端はＲＥＷロッド３３上のフック部３３ａ、他端はＦＦロッド３４上のフック部３４ａに保持されており、ＲＥＷロッド３３、ＦＦロッド３４を常時矢印Ｆ方向へ付勢している。
【００２８】
３９はロックロッドであり、ロックロッド３９はメカシャーシ１０上に保持され、矢印ＧＨ方向に摺動自在であり、ＰＬＡＹロッド３２の係合部３２ｂと当接する傾斜部３９ａ、係合部３２ｂを保持するロック部３９ｂ、係合部３２ｂを位置規制するストッパー部３９ｃ、ＲＥＷロッド３３の係合部３３ｂと当接する傾斜部３９ｄ、係合部３３ｂを保持するロック部３９ｅ、係合部３３ｂを位置規制するストッパー部３９ｆ、ＦＦロッド３４の係合部３４ｂと当接する傾斜部３９ｇ、係合部３４ｂを保持するロック部３９ｈ、係合部３４ｂを位置規制するストッパー部３９ｉを有している。４０はロックロッドばねであり、ロックロッドばね４０はメカシャーシ１０上に固定された別部材（図示せず）に固定され、一端は別部材（図示せず）に固定され、他端はロックロッド３９のフック部３９ｊに保持されて、ロックロッド３９を常時矢印Ｈ方向へ付勢している。
図９に示す停止状態よりＰＬＡＹロッド３２を矢印Ｅ方向へ摺動させると、ＰＬＡＹロッド３２の係合部３２ｂがロックロッド３９の傾斜部３９ａに当接し押圧するが、ＰＬＡＹロッド３２は矢印ＧＨ方向には位置規制されているため、結果的にロックロッド３９が傾斜部３９ａの形状に伴って、ロックロッドばね４０の矢印Ｈ方向への付勢力に反して矢印Ｇ方向へ摺動する。同時にＰＬＡＹロッド３２とヘッド基板ばね３６を介して連結しているヘッド基板３５が、ヘッド基板戻しばね３７による矢印Ｆ方向への付勢力に反して矢印Ｅ方向へ摺動するため、ヘッド基板３５の係合傾斜部３５ｃが巻取りアーム１９の軸部１９ｇに当接し押圧するが、ヘッド基板３５は矢印ＧＨ方向には位置規制されているため、結果的に巻取りアーム１９が係合傾斜部３５ｃの形状に伴って、巻取りアーム１９の係合軸１９ｆに保持されたバランスばね２８による反時計方向への付勢力に反して時計方向へ回動する。
【００２９】
さらにＰＬＡＹロッド３２を矢印Ｅ方向へ摺動させるとＰＬＡＹロッド３２の係合部３２ｂによってロックロッド３９はさらにＧ方向へ摺動し、ＰＬＡＹロッド３２の係合部３２ｂがロックロッド３９の傾斜部３９ａを通過する位置にまで到達すると、ロックロッド３９の位置規制が解除されるため、ロックロッド３９はロックロッドばね４０の矢印Ｈ方向への付勢力によって矢印Ｈ方向へ摺動し、ＰＬＡＹロッド３２の係合部３２ｂとロックロッド３９のストッパー部３９ｃが当接する位置で保持される。
【００３０】
この状態でＰＬＡＹロッド３２の矢印Ｅ方向への摺動動作を解除すると、ＰＬＡＹロッド３２はヘッド基板戻しばね３７の矢印Ｆ方向への付勢力によって矢印Ｆ方向へ摺動しようとするが、ＰＬＡＹロッド３２の係合部３２ｂがロックロッド３９のロック部３９ｂに当接し、その当接位置でＰＬＡＹロッド３２はロックロッド３９によって保持される。
【００３１】
また、巻取りアーム１９はヘッド基板３５の係合傾斜部３５ｃによってさらに時計方向へ回動し、ＰＬＡＹロッド３２がロックロッド３９によって保持された状態では巻取りアーム１９に回転保持された巻取りギヤ１７が巻取り中継ギヤ２３と噛み合う位置にまで到達している。この状態が図１０〜図１１に示すＰＬＡＹ状態である。この状態でモータ１１を反時計方向に回転させるとモータ１１の回転動力は図２に示すようにモータプーリ１２、キャプスタンベルト１４、フライホイール１３、巻取りベルト２２を介してメインプーリ１６に伝達され、メインプーリ１６を反時計方向に回転させる。メインプーリ１６に伝達された回転動力はメインプーリ１６に一端が固定されたフリクションばね１８の内径と巻取りギヤ１７の軸部１７ｂとの接触摩擦力によって巻取りギヤ１７に伝達される。巻取りギヤ１７が回転するとギヤ部１７ｃと噛み合い位置にある巻取り中継ギヤ２３が回転し、巻取り中継ギヤ２３と巻取りギヤ部２５ａにおいて常時噛み合う巻取りリール台２５は反時計方向、すなわちカセットテープ巻取り方向へ回転する。
【００３２】
尚、図１０においてメインプーリ１６のギヤ部１６ｂも平面上では早送り中継ギヤ２４と噛み合い可能な位置にあるが、図１１に示すようにスラスト方向において噛み合い不可能な位置になるように構成している。この図１０〜図１１に示すＰＬＡＹ状態を解除するためには、ＰＬＡＹロッド３２の保持部３２ｂとロックロッド３９のロック部３９ｂの保持ストロークｌよりも大なるストローク量でロックロッド３９を矢印Ｇ方向へ摺動させれば可能であり、ＰＬＡＹロッド３２の係合部３２ｂのロックロッド３９のロック部３９ｂによる保持が解除され、ＰＬＡＹロッド３２およびＰＬＡＹロッド３２とヘッド基板ばね３６を介して連結しているヘッド基板３５はヘッド基板戻しばね３７による矢印Ｆへの付勢力により矢印Ｆ方向へ摺動する。
【００３３】
また、ヘッド基板３５が矢印Ｆ方向へ摺動するとヘッド基板３５の係合傾斜部３５ｃと巻取りアーム１９の係合軸１９ｇの係合による巻取りアーム１９に対する位置規制が解除されるため、巻取りアーム１９はバランスばね２８による反時計方向への付勢力により反時計方向へ回動し、巻取りギヤ１７と巻取り中継ギヤ２３との噛み合いが解除されて巻取りリール台２５の回転が停止した後、図９に示す停止状態となる。
【００３４】
次に、図９に示す停止状態よりＦＦロッド３４を矢印Ｅ方向へ摺動させると、ＦＦロッド３４の係合部３４ｂがロックロッド３９の傾斜部３９ｇに当接し押圧するが、ＦＦロッド３４は矢印ＧＨ方向には位置規制されているため、結果的にロックロッド３９が傾斜部３９ｇの形状に伴って、ロックロッドばね４０の矢印Ｈ方向への付勢力に反して矢印Ｇ方向へ摺動する。
【００３５】
同時にＦＦロッド３４の係合軸３４ｃが巻取りアーム１９に保持された早送りばね２１の先端部に当接し押圧するが、ＦＦロッド３４は矢印ＧＨ方向には位置規制されているため、結果的に巻取りアーム１９が早送りばね２１の先端形状に伴って、巻取りアーム１９の係合軸１９ｆに保持されたバランスばね２８による反時計方向への付勢力に反して時計方向へ回動する。
【００３６】
同時に、ＦＦロッド３４の先端部３４ｄが巻取りアーム１９の係合傾斜部１９ｈに当接し押圧するが、ＦＦロッド３４は矢印ＣＤ方向には位置規制されているため、結果的に巻取りアーム１９が係合傾斜部１９ｈの形状に伴って、スラストばね２０による矢印Ｄ方向への付勢力に反して矢印Ｃ方向へ摺動する。さらにＦＦロッド３４を矢印Ｅ方向へ摺動させるとＦＦロッド３４の係合部３４ｂによってロックロッド３９はさらにＧ方向へ摺動し、ＦＦロッド３４の係合部３４ｂがロックロッド３９の傾斜部３９ｇを通過する位置にまで到達すると、ロックロッド３９の位置規制が解除されるため、ロックロッド３９はロックロッドばね４０の矢印Ｈ方向への付勢力によって矢印Ｈ方向へ摺動し、ＦＦロッド３４の係合部３４ｂとロックロッド３９のストッパー部３９ｉが当接する位置で保持される。
【００３７】
この状態でＦＦロッド３４の矢印Ｅ方向への摺動動作を解除すると、ＦＦロッド３４はＦＦロッド３４のフック部３４ａに保持された操作ロッドばね３８の矢印Ｆ方向への付勢力によって矢印Ｆ方向へ摺動しようとするが、ＦＦロッド３４の係合部３４ｂがロックロッド３９のロック部３９ｈに当接し、その当接位置でＦＦロッド３４はロックロッド３９によって保持される。また、巻取りアーム１９は早送りばね２１の先端形状に伴ってさらに時計方向へ回動し、また、巻取りアーム１９の係合傾斜部１９ｈの形状に伴ってさらに矢印Ｃ方向へ摺動し、ＦＦロッド３４がロックロッド３９によって保持された状態では巻取りアーム１９に巻取りギヤ１７を介して回転保持されたメインプーリ１６のギヤ部１６ｂが早送り中継ギヤ２４と噛み合う位置にまで到達している。
【００３８】
この状態が図１２〜図１３に示すＦＦ状態である。この状態でモータ１１を反時計方向に回転させるとモータ１１の回転動力は図２に示すようにモータプーリ１２、キャプスタンベルト１４、フライホイール１３、巻取りベルト２２を介してメインプーリ１６に伝達され、メインプーリ１６を反時計方向に回転させる。メインプーリ１６に伝達された回転動力によってメインプーリ１６のギヤ部１６ｂと噛み合い位置にある早送り中継ギヤ２４が回転し、早送り中継ギヤ２４と早送りギヤ部２５ｂにおいて常時噛み合う巻取りリール台２５は反時計方向、すなわちカセットテープ巻取り方向へ回転する。尚、図１２において巻取りギヤ１７のギヤ部１７ｃも平面上では巻取り中継ギヤ２３と噛み合い可能な位置にあるが、図１３に示すようにスラスト方向において噛み合い不可能な位置になるように構成している。
【００３９】
この図１２〜図１３に示すＦＦ状態を解除するためには、ＦＦロッド３４の保持部３４ｂとロックロッド３９のロック部３９ｈの保持ストロークｍよりも大なるストローク量でロックロッド３９を矢印Ｇ方向へ摺動させれば可能であり、ＦＦロッド３４の係合部３４ｂのロックロッド３９のロック部３９ｈによる保持が解除され、ＦＦロッド３４は操作ロッドばね３８による矢印Ｆへの付勢力により矢印Ｆ方向へ摺動する。また、ＦＦロッド３４が矢印Ｆ方向へ摺動するとＦＦロッド３４の係合軸３４ｃと早送りばね２１の係合および巻取りアーム１９の係合傾斜部１９ｈとＦＦロッド３４の先端部３４ｄの係合による巻取りアーム１９に対する位置規制が解除されるため、巻取りアーム１９はバランスばね２８による反時計方向への付勢力により反時計方向へ回動するとともにスラストばね２０の矢印Ｄ方向への付勢力により矢印Ｄ方向へ摺動し、メインプーリ１６のギヤ部１６ｂと早送り中継ギヤ２４との噛み合いが解除されて巻取りリール台２５の回転が停止した後、図９に示す停止状態となる。
【００４０】
次に、図９に示す停止状態よりＲＥＷロッド３３を矢印Ｅ方向へ摺動させると、ＲＥＷロッド３３の係合部３３ｂがロックロッド３９の傾斜部３９ｄに当接し押圧するが、ＲＥＷロッド３３は矢印ＧＨ方向には位置規制されているため、結果的にロックロッド３９が傾斜部３９ｄの形状に伴って、ロックロッドばね４０の矢印Ｈ方向への付勢力に反して矢印Ｇ方向へ摺動する。
【００４１】
同時にＲＥＷロッド３３の係合軸３３ｃが巻取りアーム１９に保持された早送りばね２１の先端部に当接し押圧するが、ＲＥＷロッド３３は矢印ＧＨ方向には位置規制されているため、結果的に巻取りアーム１９が早送りばね２１の先端形状に伴って、巻取りベルト２２の張力による時計方向への付勢力に反して反時計方向へ回動する。
【００４２】
同時に、ＲＥＷロッド３３の先端部３３ｄが巻取りアーム１９の係合傾斜部１９ｈに当接し押圧するが、ＲＥＷロッド３３は矢印ＣＤ方向には位置規制されているため、結果的に巻取りアーム１９が係合傾斜部１９ｈの形状に伴って、スラストばね２０による矢印Ｄ方向への付勢力に反して矢印Ｃ方向へ摺動する。さらにＲＥＷロッド３３を矢印Ｅ方向へ摺動させるとＲＥＷロッド３３の係合部３３ｂによってロックロッド３９はさらにＧ方向へ摺動し、ＲＥＷロッド３３の係合部３３ｂがロックロッド３９の傾斜部３９ｄを通過する位置にまで到達すると、ロックロッド３９の位置規制が解除されるため、ロックロッド３９はロックロッドばね４０の矢印Ｈ方向への付勢力によって矢印Ｈ方向へ摺動し、ＲＥＷロッド３３の係合部３３ｂとロックロッド３９のストッパー部３９ｆが当接する位置で保持される。
【００４３】
この状態でＲＥＷロッド３３の矢印Ｅ方向への摺動動作を解除すると、ＲＥＷロッド３３はＲＥＷロッド３３のフック部３３ａに保持された操作ロッドばね３８の矢印Ｆ方向への付勢力によって矢印Ｆ方向へ摺動しようとするが、ＲＥＷロッド３３の係合部３３ｂがロックロッド３９のロック部３９ｅに当接し、その当接位置でＲＥＷロッド３３はロックロッド３９によって保持される。また、巻取りアーム１９は早送りばね２１の先端形状に伴ってさらに反時計方向へ回動し、また、巻取りアーム１９の係合傾斜部１９ｈの形状に伴ってさらに矢印Ｃ方向へ摺動し、ＲＥＷロッド３３がロックロッド３９によって保持された状態では巻取りアーム１９に巻取りギヤ１７を介して回転保持されたメインプーリ１６のギヤ部１６ｂが供給リール台２６の早送りギヤ部２６ｂと噛み合う位置にまで到達している。この状態が図１４〜図１５に示すＲＥＷ状態である。この状態でモータ１１を反時計方向に回転させるとモータ１１の回転動力は図２に示すようにモータプーリ１２、キャプスタンベルト１４、フライホイール１３、巻取りベルト２２を介してメインプーリ１６に伝達され、メインプーリ１６を反時計方向に回転させる。メインプーリ１６に伝達された回転動力によってメインプーリ１６のギヤ部１６ｂと早送りギヤ部２６ｂにおいて噛み合い位置にある供給リール台２６は反時計方向、すなわちカセットテープ巻戻し方向へ回転する。尚、図１４において巻取りギヤ１７のギヤ部１７ｃも平面上では供給リール台２６の巻取りギヤ部２６ａと噛み合い可能な位置にあるが、図１５に示すようにスラスト方向において噛み合い不可能な位置になるように構成している。この図１４〜図１５に示すＲＥＷ状態を解除するためには、ＲＥＷロッド３３の保持部３３ｂとロックロッド３９のロック部３９ｅの保持ストロークｍよりも大なるストローク量でロックロッド３９を矢印Ｇ方向へ摺動させれば可能であり、ＲＥＷロッド３３の係合部３３ｂのロックロッド３９のロック部３９ｅによる保持が解除され、ＲＥＷロッド３３は操作ロッドばね３８による矢印Ｆへの付勢力により矢印Ｆ方向へ摺動する。また、ＲＥＷロッド３３が矢印Ｆ方向へ摺動するとＲＥＷロッド３４の係合軸３３ｃと早送りばね２１の係合および巻取りアーム１９の係合傾斜部１９ｈとＲＥＷロッド３３の先端部３３ｄの係合による巻取りアーム１９に対する位置規制が解除されるため、巻取りアーム１９は巻取りベルト２２の張力による時計方向への付勢力により時計方向へ回動するとともにスラストばね２０の矢印Ｄ方向への付勢力により矢印Ｄ方向へ摺動し、メインプーリ１６のギヤ部１６ｂと供給リール台２６の早送りギヤ部２６ｂとの噛み合いが解除されて供給リール台２６の回転が停止した後、図９に示す停止状態となる。
【００４４】
図１６〜図３０は本発明の実施の形態におけるテープレコーダのオートストップ系部品構成の詳細図を示す。図１６〜図１７は本発明の実施の形態におけるオートストップ系の停止状態を示す部分平面図、図１８〜図３０は本発明の実施の形態におけるオートストップ系の動作モード時の作動状態を示す部分平面図である。
【００４５】
図１６〜図３０において、４１は作動レバーであり、作動レバー４１はメカシャーシ１０上の軸部１０ｂの内径部を軸受けとして回動自在に保持されており、カムギヤ１５に形成された外周カム部１５ｂおよび駆動カム部１５ｃと係合可能な係合軸４１ｂと、第１、第２の実施の形態におけるフリクション板２９の軸部２９ａ、２９ｂまたは第３の実施の形態におけるフリクション板３１の軸部３１ａ、３１ｂと係合可能な当接部４１ｃ、４１ｄと、ロックロッド３９の突起部３９ｋと当接可能な駆動部４１ｅを有している。４２は作動レバーばねであり、作動レバーばね４２は作動レバー４１上の軸部４１ｆに固定され、両端を作動レバー４１に形成されたフック部４１ｇ、４１ｈに保持されており、その片側先端がロックロッド３９の突起部３９ｋと当接可能な位置関係にある。
【００４６】
以上のように構成された本発明のテープレコーダについて、以下そのオートストップ動作について説明する。図１６〜図１７の停止状態において、モータ１１を反時計方向に回転させると、図２に示す各回転系部品構成によってフライホイール１３は反時計方向に回転し、フライホイール１３のギヤ部１３ｂとギヤ部１５ａにおいて常時噛み合い状態にあるカムギヤ１５は時計方向に回転する。一方、停止状態においては作動レバー４１に保持されている作動レバーばね４２の先端部がロックロッド３９の突起部３９ｋと当接し、この作動レバーばね４２によるロックロッド３９への矢印Ｇ方向への付勢力はロックロッド３９を矢印Ｈ方向へ付勢するロックロッドばね４０の付勢力よりも小さく設定しており、ロックロッド３９が作動レバーばね４２の付勢力によって作動されることはなく、作動レバー４１を反時計方向へ回動付勢するため、カムギヤ１５が回転すると作動レバー４１の係合軸４１ｂはカムギヤ１５の外周カム部１５ｂ形状に追従し、作動レバー４１は図１６に示す作動レバー４１の第１の位置と図１７に示す作動レバー４１の第２の位置間を揺動運動する。図１６〜図１７の停止状態においては、モータ１１の回転動力は図２に示すようにメインプーリ１６以降は伝達されず、巻取りリール台２５は停止状態であるため、フリクション板２９または３１は作動せず、作動レバーばね４２の付勢力によってのみ作動レバー４１の揺動運動が行われる。
【００４７】
次に図１８〜図２１を参照に各動作モード時の作動状態について説明する。カセットテープをメカニズムに装着し、図１６〜図１７の停止状態よりＰＬＡＹロッド３２、ＲＥＷロッド３３、ＦＦロッド３４のいずれかを矢印Ｅ方向へ摺動させてロックロッド３９に保持させると、操作したロッドに相応した動作モード状態となる。すなわち、前記したようにＰＬＡＹロッド３２を操作してその係合部３２ｂをロックロッド３９のロック部３９ｂに保持させるとＰＬＡＹ状態となり、巻取りリール台２５は反時計方向に回転し、ＲＥＷロッド３３を操作してその係合部３３ｂをロックロッド３９のロック部３９ｅに保持させるとＲＥＷ状態となり、巻取りリール台２５は時計方向に回転し、ＦＦロッド３４を操作してその係合部３４ｂをロックロッド３９のロック部３９ｈに保持させるとＦＦ状態となり、巻取りリール台２５は反時計方向に回転する。巻取りリール台２５がいずれの方向に回転した場合でも図５〜図８に示す構成によってフリクション板２９または３１は巻取りリール台２５の回転方向と同一方向へ回転トルクを生じる。この回転トルクによって巻取りリール台２５が反時計方向に回転している際はフリクション板２９の軸部２９ａまたはフリクション板３１の軸部３１ａと作動レバー４１の当接部４１ｃとが当接し、作動レバー４１に対して反時計方向への付勢力が発生する。また、巻取りリール台２５が時計方向に回転している際もフリクション板２９の軸部２９ｂまたはフリクション板３１の軸部３１ｂと作動レバー４１の当接部４１ｄとが当接し、作動レバー４１に対して反時計方向への付勢力が発生する。すなわち、巻取りリール台が回転すると作動レバー４１が反時計方向へ回動付勢されるため、カムギヤ１５の回転に伴い作動レバー４１の係合軸４１ｂはカムギヤ１５の外周カム部１５ｂ形状に追従し、作動レバー４１は巻取りリール台２５が反時計方向に回転しているＰＬＡＹ状態、ＦＦ状態では図１８、巻取りリール台２５が時計方向に回転しているＲＥＷ状態では図１９に示す作動レバー４１の第１の位置と、巻取りリール台２５が反時計方向に回転しているＰＬＡＹ状態、ＦＦ状態では図２０、巻取りリール台２５が時計方向に回転しているＲＥＷ状態では図２１に示す第２の位置間を揺動運動する。各動作モード状態にある際、前記したようにロックロッド３９の位置はＰＬＡＹ状態であればストッパー部３９ｂ、ＲＥＷ状態であればストッパー部３９ｆ、ＦＦ状態であればストッパー部３９ｉによってロックロッドばね４０による矢印Ｈ方向への摺動位置規制がなされており、作動レバー４１の揺動運動の際に作動レバーばね４２がロックロッド３９の突起部３９ｋと当接しないように各ストッパー部の位置が設定されている。よって、各動作モード状態においては作動レバーばね４２の付勢力は作用せず、フリクション板２９または３１による付勢力によってのみ作動レバー４１の揺動運動が行われる。尚、各モード動作状態における作動レバー４１の揺動運動時の巻取りリール台２５、フリクション板２９または３１、メカシャーシ１０間におけるスリップ位置の変化について説明すると、作動レバー４１が第１の位置で一定時間保持される際には、作動レバー４１はフリクション板２９または３１による付勢力を受けて反時計方向へ回動しようとするがカムギヤ１５の外周カム部１５ｂによって回動位置規制されているため、作動レバー４１の当接部４１ｃ、４１ｄを押圧しているフリクション板２９または３１の軸部２９ａまたは３１ａ、２９ｂまたは３１ｂもその位置を規制され、巻取りリール台２５とフリクション板２９または３１間でスリップし、そのスリップトルクが作動レバー４１への反時計方向への付勢力となる。次に作動レバー４１が第１の位置から第２の位置へと時計方向に回動する際には、作動レバー４１はフリクション板２９または３１により反時計方向へ回動付勢力を受けるがカムギヤ１５の外周カム部１５ｂ形状によって時計方向に回動し第２の位置に到達するため、作動レバー４１の当接部４１ｃ、４１ｄをその軸部２９ａまたは３１ａ、２９ｂまたは３１ｂで押圧しているフリクション板２９または３１は、巻取りリール台２５の回転方向とは逆方向に回転する。その結果、巻取りリール台２５とフリクション板２９、３１間およびフリクション板２９、３１とメカシャーシ１０間でスリップする。また、作動レバー４１が第２の位置から第１の位置へと時計方向に回動する際には、作動レバー４１の当接部４１ｃ、４１ｄをその軸部２９ａまたは３１ａ、２９ｂまたは３１ｂで押圧しているフリクション板２９、３１とメカシャーシ１０間でスリップするため、作動レバー４１はカムギヤ１５の外周カム部１５ｂに沿って反時計方向に回動し、作動レバー４１は第１の位置に到達する。以上のような動作を繰り返し、作動レバー４１の揺動運動が行われる。
【００４８】
次に図２２〜図３０を参照にオートストップ動作について説明する。図２０〜図２１に示す作動レバー４１が第２の位置にある状態よりカムギヤ１５がさらに時計方向へ回転した際、巻取りリール台２５がいずれかの方向に回転していれば前記したようにフリクション板２９または３１に巻取りリール台２５の回転方向と同一方向へ回転トルクを生じ、作動レバー４１を反時計方向に付勢するため、作動レバー４１の係合軸４１ｂはカムギヤ１５の外周カム部１５ｂ形状に追従し、作動レバー４１は反時計方向に回動して第１の位置に達する。この状態を図２２〜図２３に示す。図２２は図２０に対応した図、図２３は図２１に対応した図である。また、カセットテープが終端に達し、巻取りリール台２５が停止していれば前記したようにフリクション板２９または３１に回転トルクが発生せず、作動レバー４１への反時計方向の付勢力も無くなるため、作動レバー４１の係合軸４１ｂはカムギヤ１５の外周カム部１５ｂ形状に追従せず、作動レバー４１はカムギヤ１５の外周カム部１５ｂで規制された第２の位置を継続する。この状態を図２４〜図２５に示す。図２４は図２０に対応した図、図２５は図２１に対応した図である。図２２〜図２５に示す状態よりカムギヤ１５がさらに時計方向へ回転し、カムギヤ１５の駆動カム部１５ｃと作動レバー４１の係合軸４１ｂの係合選択位置まで到達した際に、巻取りリール台２５がいずれかの方向に回転していれば前記したようにフリクション板２９または３１によって作動レバー４１は反時計方向に付勢され、作動レバー４１の係合軸４１ｂはカムギヤ１５の外周カム部１５ｂ形状に追従するため、作動レバー４１はカムギヤ１５の外周カム部１５ｂで規制された第１の位置にある。従って、カムギヤ１５の係合選択位置において作動レバー４１の係合軸４１ｂがカムギヤ１５の駆動カム部１５ｃと係合することは無く、この状態を図２６〜図２７に示す。図２６は図２２に対応した図、図２７は図２３に対応した図である。巻取りリール台２５がいずれかの方向に回転していれば、作動レバー４１は以降もカムギヤ１５の外周カム部１５ｂに追従して揺動運動を繰り返す。また、カセットテープが終端に達し、巻取りリール台２５が停止していれば前記したようにフリクション板２９または３１に回転トルクが発生せず、作動レバー４１への反時計方向の付勢力も無くなるため、作動レバー４１の係合軸４１ｂはカムギヤ１５の外周カム部１５ｂ形状に追従せず、作動レバー４１はカムギヤ１５の外周カム部１５ｂで規制された第２の位置を継続している。従って、カムギヤ１５の係合選択位置において作動レバー４１の係合軸４１ｂがカムギヤ１５の駆動カム部１５ｃと係合可能な位置にあり、この状態を図２８〜図２９に示す。図２８は図２４に対応した図、図２９は図２５に対応した図である。図２８〜図２９の状態よりさらにカムギヤ１５が時計方向に回転すると、作動レバー４１の係合軸４１ｂがカムギヤ１５の駆動カム部１５ｃと係合し、作動レバー４１はカムギヤ１５の時計方向への回転に伴い、駆動カム部１５ｃのカム形状に沿って時計方向へ回動し、カムギヤ１５の回転軸方向へ最大まで回動した作動レバー４１の第３の位置にまで達する。尚、作動レバー４１の第２の位置から第３の位置へと時計方向に回動する際における巻取りリール台２５、フリクション板２９または３１、メカシャーシ１０間におけるスリップ位置について説明すると、作動レバー４１はフリクション板２９または３１により反時計方向へ回動付勢力を受けるがカムギヤ１５の駆動カム部１５ｃ形状によって時計方向に回動し、第３の位置に到達するため、作動レバー４１の当接部４１ｃ、４１ｄをその軸部２９ａまたは３１ａ、２９ｂまたは３１ｂで押圧しているフリクション板２９または３１は、巻取りリール台２５の回転方向とは逆方向に回転する。その結果、巻取りリール台２５とフリクション板２９、３１間およびフリクション板２９、３１とメカシャーシ１０間でスリップする。また、作動レバー４１が第２の位置から第３の位置へとカムギヤ１５の駆動カム部１５ｃに沿って時計方向へ回動する途中で、作動レバー４１の駆動部４１ｅがロックロッド３９の突起部３９ｋと当接し、作動レバー４１の時計方向への回動に伴ってロックロッド３９をロックロッドばね４０の矢印Ｈ方向への付勢力に反して矢印Ｇ方向へ摺動させる。作動レバー４１がさらに時計方向へ回動し、第３の位置にまで達した状態では作動レバー４１の駆動部４１ｅによってロックロッド３９は各操作ロッドを保持した位置よりストロークＬだけ矢印Ｇ方向へ摺動する。この作動レバー４１が第３の位置にある状態を図３０に示す。図３０に示すように、作動レバー４１の駆動部４１ｅによって摺動させられるロックロッド３９の摺動ストロークＬは、ロックロッド３９によるＰＬＡＹロッド３２の保持ストロークｌ、ＲＥＷロッド３３およびＦＦロッド３４の保持ストロークｍよりも大きく設定しているため、各操作ロッドのロックロッド３９による保持が解除され、ＰＬＡＹロッド３２はヘッド基板戻しばね３７、ＲＥＷロッド３３およびＦＦロッド３４は操作ロッドばね３８による矢印Ｆ方向への付勢力によって矢印Ｆ方向へ摺動し、図１６〜図１７に示す停止状態となり、オートストップ動作が完了する。
【００４９】
尚、従来例におけるリール爪３の矢印Ａ方向への摺動動作によりカセットハブをリール爪３に挿入する際の衝突による誤動作防止機能は本発明の実施の形態においても可能であり、リール爪２７はリールばね３０の矢印Ｃ方向への付勢力の反して、矢印Ｄ方向へ摺動することができる。すなわち本発明の実施の形態では、従来例に示す構成と同一の機能を非常に少ない部品点数で実現することができる。
【００５０】
【発明の効果】
本発明のテープレコーダは以上のように構成した機構であって、従来例に示すオートストップ機構におけるフリクション機構に比べて非常に部品点数を少なく構成することができ、それに伴う組立工数も少ない上にメカシャーシに順次部品を積み重ねて組み立てることが可能でリール台ユニットとしての部分組立作業が不必要であることによる設備費用の削減化や工程品質の向上化が実現できるため、テープレコーダメカニズムのオートストップ機構を低コスト、高品質で実現することが可能である。
【図面の簡単な説明】
【図１】従来のテープレコーダのオートストップ機構におけるフリクション機構を示す側面断面図
【図２】本発明の実施の形態におけるテープレコーダの回転系部品構成を示す平面図
【図３】本発明の実施の形態におけるテープレコーダの回転系部品構成を示す部分側面図
【図４】本発明の実施の形態におけるテープレコーダの回転系部品構成を示す部分側面  図
【図５】本発明の第１および第２の実施の形態におけるテープレコーダのフリクション機構を示す部分平面図
【図６】本発明の第１および第２の実施の形態におけるテープレコーダのフリクション機構を示す部分側面図
【図７】本発明の第３の実施の形態におけるテープレコーダのフリクション機構を示す部分平面図
【図８】本発明の第３の実施の形態におけるテープレコーダのフリクション機構を示す部分側面図
【図９】本発明の実施の形態におけるテープレコーダの操作系の停止状態を示す部分平面図
【図１０】本発明の実施の形態におけるテープレコーダの操作系のＰＬＡＹ状態を示す部分平面図
【図１１】本発明の実施の形態におけるテープレコーダの操作系のＰＬＡＹ状態を示す部分側面図
【図１２】本発明の実施の形態におけるテープレコーダの操作系のＦＦ状態を示す部分平面図
【図１３】本発明の実施の形態におけるテープレコーダの操作系のＦＦ状態を示す部分側面図
【図１４】本発明の実施の形態におけるテープレコーダの操作系のＲＥＷ状態を示す部分平面図
【図１５】本発明の実施の形態におけるテープレコーダの操作系のＲＥＷ状態を示す部分側面図
【図１６】本発明の実施の形態におけるテープレコーダのオートストップ系の停止状態を示す部分平面図
【図１７】本発明の実施の形態におけるテープレコーダのオートストップ系の停止状態を示す部分平面図
【図１８】本発明の実施の形態におけるテープレコーダのオートストップ系の動作モード時の作動状態を示す部分平面図
【図１９】本発明の実施の形態におけるテープレコーダのオートストップ系の動作モード時の作動状態を示す部分平面図
【図２０】本発明の実施の形態におけるテープレコーダのオートストップ系の動作モード時の作動状態を示す部分平面図
【図２１】本発明の実施の形態におけるテープレコーダのオートストップ系の動作モード時の作動状態を示す部分平面図
【図２２】本発明の実施の形態におけるテープレコーダのオートストップ系の動作モード時の作動状態を示す部分平面図
【図２３】本発明の実施の形態におけるテープレコーダのオートストップ系の動作モード時の作動状態を示す部分平面図
【図２４】本発明の実施の形態におけるテープレコーダのオートストップ系の動作モード時の作動状態を示す部分平面図
【図２５】本発明の実施の形態におけるテープレコーダのオートストップ系の動作モード時の作動状態を示す部分平面図
【図２６】本発明の実施の形態におけるテープレコーダのオートストップ系の動作モード時の作動状態を示す部分平面図
【図２７】本発明の実施の形態におけるテープレコーダのオートストップ系の動作モード時の作動状態を示す部分平面図
【図２８】本発明の実施の形態におけるテープレコーダのオートストップ系の動作モード時の作動状態を示す部分平面図
【図２９】本発明の実施の形態におけるテープレコーダのオートストップ系の動作モード時の作動状態を示す部分平面図
【図３０】本発明の実施の形態におけるテープレコーダのオートストップ系の動作モード時の作動状態を示す部分平面図
【符号の説明】
１  メカシャーシ
２  リール台
３  リール爪
４  リールばね
５  リールブッシュ
６  フリクション板
７  フリクションばね
８  フリクションフェルト
９  フリクションブッシュ
１０  メカシャーシ
１１  モータ
１２  モータプーリ
１３  フライホイール
１３ａキャプスタン
１４  キャプスタンベルト
１５  カムギヤ
１５ｂ外周カム部
１５ｃ駆動カム部
１６  メインプーリ
１７  巻取りギヤ
１８  フリクションばね
１９  巻取りアーム
２０  スラストばね
２１  早送りばね
２２  巻取りベルト
２３  巻取り中継ギヤ
２４  早送り中継ギヤ
２５  巻取りリール台
２６  供給リール台
２７  リール爪
２８  バランスばね
２９  フリクション板
２９ａ軸部
２９ｂ軸部
３０  リールばね
３１  フリクション板
３１ａ軸部
３１ｂ軸部
３２  ＰＬＡＹロッド
３２ｂ係合部
３３  ＲＥＷロッド
３３ｂ係合部
３３ｃ係合軸
３３ｄ先端部
３４  ＦＦロッド
３４ｂ係合部
３４ｃ係合軸
３４ｄ先端部
３５  ヘッド基板
３６  ヘッド基板ばね
３７  ヘッド基板戻しばね
３８  操作ロッドばね
３９  ロックロッド
３９ａ傾斜部
３９ｂロック部
３９ｃストッパー部
３９ｄ傾斜部
３９ｅロック部
３９ｆストッパー部
３９ｇ傾斜部
３９ｈロック部
３９ｉストッパー部
３９ｋ突起部
４０  ロックロッドばね
４１  作動レバー
４１ｂ係合軸
４１ｃ当接部
４１ｄ当接部
４１ｅ駆動部
４２  作動レバーばね
【図１】
0003613900.tif 000002
【図２】
0003613900.tif 000003
【図３】
0003613900.tif 000004
【図４】
0003613900.tif 000005
【図５】
0003613900.tif 000006
【図６】
0003613900.tif 000007
【図７】
0003613900.tif 000008
【図８】
0003613900.tif 000009
【図９】
0003613900.tif 000010
【図１０】
0003613900.tif 000011
【図１１】
0003613900.tif 000012
【図１２】
0003613900.tif 000013
【図１３】
0003613900.tif 000014
【図１４】
0003613900.tif 000015
【図１５】
0003613900.tif 000016
【図１６】
0003613900.tif 000017
【図１７】
0003613900.tif 000018
【図１８】
0003613900.tif 000019
【図１９】
0003613900.tif 000020
【図２０】
0003613900.tif 000021
【図２１】
0003613900.tif 000022
【図２２】
0003613900.tif 000023
【図２３】
0003613900.tif 000024
【図２４】
0003613900.tif 000025
【図２５】
0003613900.tif 000026
【図２６】
0003613900.tif 000027
【図２７】
0003613900.tif 000028
【図２８】
0003613900.tif 000029
【図２９】
0003613900.tif 000030
【図３０】
0003613900.tif 000031